(57)【特許請求の範囲】
【請求項１】
多相型交流電源から供給される多相交流電圧の各位相を制御して整流して並列配置された複数のインバータ回路の各々に直流電圧を供給する電源回路と、
複数のスイッチング素子をブリッジ接続して構成される複数のインバータ回路と、
前記各インバータ回路に対応して負荷側に流れる交流電流を検出して交流電流検出信号を出力する複数の交流電流検出回路と、
前記負荷側に発生する負荷電圧を検出する負荷電圧検出回路と、
前記複数のインバータ回路の出力段毎に流れる負荷電流を検出して負荷電流検出信号を出力する複数の負荷電流検出手段と、
前記出力された交流電流検出信号と前記検出された負荷電圧との位相を比較して、電圧信号を出力する位相比較回路と、
前記電圧信号に基づいて前記複数のインバータ回路の各スイッチング動作の動作周波数を設定する発振信号を生成するとともに、当該発振信号の周波数を調整する発振回路と、
この発振信号に基づいて前記複数のインバータ回路の各スイッチング素子を並列駆動制御する駆動制御回路と、
を備える電流型インバータにおいて、
起動時に、前記複数の負荷電流検出回路により検出される前記複数のインバータ回路の各負荷電流検出信号を所定の基準値と比較し、この比較結果に基づいて前記複数の交流電流検出回路から出力される各交流出力電流検出信号を選択して前記位相比較回路に入力し、当該位相比較回路において、前記入力された各交流出力電流検出信号と前記負荷電圧との位相を比較し、この位相の比較結果に基づいて、前記動作周波数を起動周波数に設定するための起動用電圧信号と、前記比較結果の位相差に基づいて負荷に応じた共振周波数に設定するための負荷用電圧信号と、を切り替えて前記発振回路へ入力することを特徴とする電流型インバータの動作周波数制御方法。
【発明の詳細な説明】
【０００１】
【産業上の利用分野】
本発明は、電流型インバータの動作周波数制御方法に係り、詳細には、インバータ回路内のスイッチング素子の動作周波数を起動時の動作周波数から負荷に応じた共振周波数に切り替える際の制御に好適な電流型インバータの動作周波数制御方法に関する。
【０００２】
【従来の技術】
従来の電流型インバータでは、多相型交流電源から供給される多相交流電圧の各位相を電源回路で制御して整流して並列配置された複数のインバータ回路の各々に直流電圧を供給し、並列配置された複数のインバータ回路内の各スイッチング素子を並列動作させることにより、交流出力電流の大容量化を図っている。
【０００３】
このような電流型インバータでは、インバータ回路のスイッチング素子のスイッチング動作を制御する回路構成として、負荷電圧を検出する負荷電圧検出回路と、負荷電流を検出する負荷電流検出回路と、この負荷電圧と負荷電流との位相を比較して位相差信号を出力する位相比較回路と、この位相差信号に基づいてスイッチング動作の動作周波数を設定する発振信号を生成する発振回路と、この発振信号に基づいて複数のインバータ回路のスイッチング素子のスイッチング動作を並列制御する制御回路と、を備えたものがある。
【０００４】
また、このような制御回路構成を備える電流型インバータでは、インバータ回路のスイッチング動作の動作周波数を起動時には、固定の起動周波数で運転を開始し、検出される負荷電流の大きさに応じて負荷の共振周波数に応じた動作周波数に切り替える制御を行っている。すなわち、定常運転に移行する前の起動時には、発振回路は予め設定された所定の起動用動作周波数の発振信号を出力し、この起動周波数でインバータ回路のスイッチング動作を制御し、この起動時に検出される負荷電流の大きさが所定の基準値を越えた場合に、位相比較回路で負荷電圧との位相比較結果に基づいて発振回路の発振信号を負荷の共振周波数に対応した動作周波数に移行するようにしている。
【０００５】
【発明が解決しようとする課題】
しかしながら、このような従来の電流型インバータにあっては、インバータ回路のスイッチング動作の動作周波数を起動時に切り替える制御において、負荷電流検出回路による負荷電流の検出対象が１つのインバータ回路に限られていたため、上記起動時に検出される負荷電流の検出間隔が散発的になり、位相比較回路から出力される位相差信号の出力間隔も散発的になり、発振回路において起動周波数と共振周波数とを切り替える繰り返し期間が長くなり、起動周波数による起動運転状態から共振周波数による定常運転状態に移行するまでの時間が長引いてしまうという問題点があった。
【０００６】
すなわち、多相型交流電源として、例えば、３相Δ結線と３相Ｙ結線の利用により３０°づつ位相をずらして供給される交流電圧を、サイリスタのスイッチング動作によりその位相を制御して整流して直流電圧を出力する１２相整流を行う電源回路が適用される場合は、上記起動時に複数のインバータ回路から断続的に負荷に出力される交流出力電流の位相は、その電源回路の位相制御に準じて３０°ずつ位相がずれて出力される。
【０００７】
このため、起動時に各インバータ回路から出力される交流出力電流に応じて負荷に流れて、各インバータ回路に戻される負荷電流の位相も３０°ずつ位相がずれており、上記従来のように起動時に、特定の１つのインバータ回路に流れる負荷電流だけを検出対象にする構成とすると、他の検出対象としていないインバータ回路に負荷電流が流れている期間は負荷電流が殆ど検出されず、その検出対象のインバータ回路により検出される負荷電流の大きさが基準値を越えて負荷電圧との比較対象となる期間が散発的になって、上記のような問題点が発生する原因となっていた。
【０００８】
〔目的〕
本発明の目的は、起動用周波数を設定した起動状態から負荷に応じた共振周波数の定常運転状態に移行する期間を短縮する電流型インバータの動作周波数制御方法を提供することである。
【０００９】
【課題を解決するための手段】
本発明の手段は次の通りである。
【００１０】
請求項１記載の発明は、
多相型交流電源から供給される多相交流電圧の各位相を制御して整流して並列配置された複数のインバータ回路の各々に直流電圧を供給する電源回路と、
複数のスイッチング素子をブリッジ接続して構成される複数のインバータ回路と、
前記各インバータ回路に対応して負荷側に流れる交流電流を検出して交流電流検出信号を出力する複数の交流電流検出回路と、
前記負荷側に発生する負荷電圧を検出する負荷電圧検出回路と、
前記複数のインバータ回路の出力段毎に流れる負荷電流を検出して負荷電流検出信号を出力する複数の負荷電流検出手段と、
前記出力された交流電流検出信号と前記検出された負荷電圧との位相を比較して、電圧信号を出力する位相比較回路と、
前記電圧信号に基づいて前記複数のインバータ回路の各スイッチング動作の動作周波数を設定する発振信号を生成するとともに、当該発振信号の周波数を調整する発振回路と、
この発振信号に基づいて前記複数のインバータ回路の各スイッチング素子を並列駆動制御する駆動制御回路と、
を備える電流型インバータにおいて、
起動時に、前記複数の負荷電流検出回路により検出される前記複数のインバータ回路の各負荷電流検出信号を所定の基準値と比較し、この比較結果に基づいて前記複数の交流電流検出回路から出力される各交流出力電流検出信号を選択して前記位相比較回路に入力し、当該位相比較回路において、前記入力された各交流出力電流検出信号と前記負荷電圧との位相を比較し、この位相の比較結果に基づいて、前記動作周波数を起動周波数に設定するための起動用電圧信号と、前記比較結果の位相差に基づいて負荷に応じた共振周波数に設定するための負荷用電圧信号と、を切り替えて前記発振回路へ入力することを特徴とする電流型インバータの動作周波数制御方法である。
【００１１】
【作用】
本発明の手段の作用は次の通りである。
【００１２】
請求項１記載の発明によれば、電流型インバータにおいて、起動時に、前記複数の負荷電流検出回路により検出される複数のインバータ回路の各負荷電流検出信号を所定の基準値と比較し、この比較結果に基づいて複数の交流電流検出回路から出力される各交流出力電流検出信号を選択して前記位相比較回路に入力し、当該位相比較回路が、前記入力された各交流出力電流検出信号と前記負荷電圧との位相を比較し、この位相の比較結果に基づいて、起動用電圧信号と、負荷用電圧信号と、を切り替えて前記発振回路へ入力し、前記各スイッチング素子の動作周波数を、起動周波数と、共振周波数とで切り替える。
【００１３】
したがって、起動時に起動周波数固定で運転を開始してから負荷の共振周波数へ繰り返し動作周波数を切り替えて定常運転状態に移行する時間を、従来に比べて短縮することができ、電流型インバータの立上がり性能を向上することができる。
【００１４】
【実施例】
以下、図１〜図３を参照して本発明の実施例を詳細に説明する。
図１〜図３は、本発明を適用した電流型インバータの一実施例を示す図である。
【００１５】
まず、構成を説明する。
図１は、本実施例の電流型インバータ１の要部回路構成を示す図である。
この図１において、電流型インバータ１は、３相Δ結線と３相Ｙ結線の組み合せで３０°づつ位相の異なる３相交流電圧を供給する３相交流電源部２と、この３相交流電源部２の３相Δ結線と３相Ｙ結線からそれぞれ供給される３相交流電圧をサイリスタＳＣＲ１、ＳＣＲ２及びサイリスタＳＣＲ３、ＳＣＲ４のスイッチング動作により位相制御して全波整流して直流電圧を出力する全波位相制御整流回路３、４と、全波位相制御整流回路３、４から出力される直流電圧に含まれる脈流成分を平滑化する直流リアクトルＬＤ１、ＬＤ２と、パワーＭＯＳ−ＦＥＴ等によるスイッチング素子Ａ１〜Ｄ１及びスイッチング素子Ａ２〜Ｄ２をブリッジ接続して構成されるインバータ回路５、６と、インバータ回路５、６の出力段で高周波出力電流を検出して高周波出力電流検出信号ＩHF1 ，ＩHF2 を出力する高周波電流検出用変成器ＣＴ１、ＣＴ２と、この高周波出力電流により負荷側に発生する高周波負荷電圧ＶHFを検出する高周波電圧検出用変成器ＶＴと、高周波出力電流により負荷からインバータ回路５、６に戻る負荷電流を検出して負荷電流検出信号ＩD1 ，ＩD2 を出力する負荷電流検出用変成器ＣＴ３、ＣＴ４とにより構成されている。
【００１６】
インバータ回路５、６のスイッチング素子Ａ１〜Ｄ１及びスイッチング素子Ａ２〜Ｄ２は、スイッチング素子Ａ１，Ｄ１、スイッチング素子Ａ２，Ｄ２とスイッチング素子Ｂ１，Ｃ１、スイッチング素子Ｂ２，Ｃ２の組み合せで各ゲート電極のスイッチングタイミングが制御され、そのスイッチング信号は、後述する制御回路１０内のフリップフロップ回路１４から入力される。
【００１７】
インバータ回路５、６は、スイッチング素子Ａ１，Ｄ１、スイッチング素子Ａ２，Ｄ２とスイッチング素子Ｂ１，Ｃ１、スイッチング素子Ｂ２，Ｃ２の組み合せでスイッチング動作することにより、直流リアクトルＬＤ１、ＬＤ２を通して入力される直流電圧から高周波出力電流を生成し、出力段に接続される負荷に供給する。
【００１８】
図２は、図１の電流型インバータ１内のインバータ回路５、６のスイッチング素子Ａ１〜Ｄ１及びスイッチング素子Ａ２〜Ｄ２のスイッチングタイミングを制御する制御回路１０のブロック構成図である。この図２において、制御回路１０は、検出電流切替回路１１、位相比較回路１２、電圧発振器１３及びフリップフロップ回路１４により構成されている。
【００１９】
検出電流切替回路１１は、コンパレータ２１、２２及びスイッチ２３、２４により構成されている。コンパレータ２１、２２は、上記負荷電流検出用変成器ＣＴ３、ＣＴ４により起動時に検出される負荷電流検出信号ＩD1 ，ＩD2 の検出レベルを図示しない基準レベル設定回路から入力される基準レベルＶｓと比較し、検出レベルが基準レベルを越えた場合に、ＯＮ信号をスイッチ２３、２４のゲートに出力することにより、スイッチ２３、２４を導通状態とし、上記高周波電流検出用変成器ＣＴ１、ＣＴ２により検出される高周波出力電流検出信号ＩHF1 ，ＩHF2 を位相比較回路１２に出力する回路である。
【００２０】
位相比較回路１２は、起動時に起動周波数Ｆｓを設定する起動用電源と、負荷に応じた共振周波数Ｆ0 を設定する負荷用電源とを内蔵し、電流型インバータ１の起動時に、その起動用電源による電圧設定により起動周波数Ｆｓを設定する起動用電圧信号を電圧発振器１３に出力し、この起動時に、上記高周波電圧検出用変成器ＶＴにより検出される高周波負荷電圧ＶHFと、検出電流切替回路１１により切り替えて入力される高周波出力電流検出信号ＩHF1 ，ＩHF2 との位相を比較し、その比較結果に応じて起動用電源から負荷用電源に切り替えて共振周波数Ｆ0 を設定する負荷用電圧信号を電圧発振器１３に出力する回路である。
【００２１】
そして、位相比較回路１２は、負荷用電源による負荷用電圧信号を電圧発振器１３に出力する定常運転状態に移行した後は、高周波電圧検出用変成器ＶＴにより検出される高周波負荷電圧ＶHFと、検出電流切替回路１１により切り替えて入力される高周波出力電流検出信号ＩHF1 ，ＩHF2 との位相を比較し、その比較結果に応じた位相差の電圧信号を電圧発振器１３に出力し、電圧発振器１３の発振信号の発振周波数が共振周波数Ｆ0 で一定となるように調整する。
【００２２】
電圧発振器１３は、位相比較回路１２から入力される起動用電圧信号及び負荷用電圧信号に応じて起動周波数Ｆｓ及び共振周波数Ｆ0 を設定する各発振信号を生成してフリップフロップ回路１４に出力するとともに、位相比較回路１２から入力される位相差に応じた電圧信号により発振信号の発振周波数が共振周波数Ｆ0 で一定となるように調整する回路である。
【００２３】
フリップフロップ回路１４は、電圧発振器１３から入力される各発振信号に基づいて上記インバータ回路５、６内のスイッチング素子Ａ１〜Ｄ１、Ａ２〜Ｄ２をスイッチング素子Ａ１，Ｄ１、Ａ２，Ｄ２とスイッチング素子Ｂ１，Ｃ１、Ｂ２，Ｃ２の組み合せで各ゲート電極のスイッチングタイミングを制御するゲート制御信号を生成して出力する回路である。
【００２４】
したがって、起動時には、負荷電流検出用変成器ＣＴ３、ＣＴ４により個々に検出される負荷電流検出信号ＩD1 ，ＩD2 の検出レベルが基準レベルを越えたタイミングで高周波電流検出用変成器ＣＴ１、ＣＴ２により検出される高周波出力電流検出信号ＩHF1 ，ＩHF2 が位相比較回路１２に出力されて、上記高周波電圧検出用変成器ＶＴにより検出される高周波負荷電圧ＶHFとの位相差が比較され、その比較結果に基づいて起動周波数Ｆｓを設定する起動用電圧信号と共振周波数Ｆ0 を設定する負荷用電圧信号が切り替えられて電圧発振器１３に出力されることにより、電圧発振器１３から出力される発振信号が起動周波数Ｆｓから負荷に応じた共振周波数Ｆ0 に切り替え制御される。
【００２５】
次に、本実施例の動作を説明する。
上記電流型インバータ１の制御回路１０における起動時の制御動作について図３に示す各部の信号のタイミングチャートを参照して説明する。
【００２６】
電流型インバータ１において、図示しない主電源スイッチがＯＮされると、３相交流電源部２の３相Δ結線と３相Ｙ結線から全波位相制御整流回路３、４のサイリスタＳＣＲ１、ＳＣＲ２及びサイリスタＳＣＲ３、ＳＣＲ４に、それぞれ３相交流電圧が供給され、そのスイッチング動作を位相制御して全波整流された直流電圧が直流リアクトルＬＤ１，ＬＤ２に出力される。そして、直流リアクトルＬＤ１，ＬＤ２では、全波位相制御整流回路３、４から出力される直流電圧に含まれる脈流成分が平滑化されてインバータ回路５、６に供給される。
【００２７】
また、制御回路１０では、位相比較回路１２内の起動用電源により設定される起動用電圧信号が電圧発振器１３に出力されると、電圧発振器１３では、位相比較回路１２から入力される起動用電圧信号に基づいて起動周波数Ｆｓを設定する発振信号がフリップフロップ回路１４に出力される。
【００２８】
そして、フリップフロップ回路１４では、電圧発振器１３から入力される発振信号に基づいてインバータ回路５、６のスイッチング素子Ａ１〜Ｄ１及びスイッチング素子Ａ２〜Ｄ２をスイッチング素子Ａ１，Ｄ１、Ａ２，Ｄ２とスイッチング素子Ｂ１，Ｃ１、Ｂ２，Ｃ２の組み合せで各ゲート電極のスイッチングタイミングを起動周波数Ｆｓで制御するゲート制御信号が生成されて出力される。
【００２９】
このように起動時には、起動周波数Ｆｓに固定されたスイッチングタイミングでインバータ回路５、６のスイッチング素子Ａ１〜Ｄ１及びスイッチング素子Ａ２〜Ｄ２がスイッチング素子Ａ１，Ｄ１、Ａ２，Ｄ２とスイッチング素子Ｂ１，Ｃ１、Ｂ２，Ｃ２の組み合せで制御されると、その起動周波数Ｆｓのスイッチングタイミングで負荷に負荷電流が流れて、その負荷電流が負荷電流検出用変成器ＣＴ３、ＣＴ４により検出され、図３のタイミングチャートの（ａ）、（ｂ）に示すように負荷電流検出信号ＩD1 ，ＩD2 が検出電流切替回路１１内のコンパレータ２１、２２に入力される。
【００３０】
コンパレータ２１、２２では、同図（ａ）、（ｂ）に示す基準レベルＶｓと負荷電流検出信号ＩD1 ，ＩD2 の各レベルが比較され、負荷電流検出信号ＩD1 ，ＩD2 の各レベルが基準レベルＶｓを越えた範囲のパルス信号ＶS1，ＶS2（同図（ｃ）、（ｄ）参照）が、スイッチ２３、２４のゲートに出力される。スイッチ２３、２４では、ゲートに入力されるパルス信号ＶS1，ＶS2のＯＮタイミングにより導通状態となり、高周波電流検出用変成器ＣＴ１、ＣＴ２により検出される高周波出力電流検出信号ＩHF1 ，ＩHF2 （同図（ｅ）、（ｆ）参照）が、その各ＯＮタイミングで位相比較回路１２に出力される。
【００３１】
そして、位相比較回路１２では、高周波電圧検出用変成器ＶＴにより検出される高周波負荷電圧ＶHF（同図（ｇ）参照）と、検出電流切替回路１１により切り替えて入力される高周波出力電流検出信号ＩHF1 ，ＩHF2 との位相が比較され、その比較結果に基づいて起動周波数Ｆｓから負荷に応じた共振周波数Ｆ0 に切り替えるために、起動用電源から負荷用電源への切り替えが行われ、起動用電圧信号の出力が停止され、上記各スイッチ２３、２４のＯＮタイミングで負荷用電圧信号が電圧発振器１３に出力される。
【００３２】
この各ＯＮタイミングで出力される負荷用電圧信号により、電圧発振器１３からは共振周波数Ｆ0 を設定する発振信号がフリップフロップ回路１４に出力される。フリップフロップ回路１４では、電圧発振器１３から入力される発振信号に基づいてインバータ回路５、６のスイッチング素子Ａ１〜Ｄ１及びスイッチング素子Ａ２〜Ｄ２をスイッチング素子Ａ１，Ｄ１、Ａ２，Ｄ２とスイッチング素子Ｂ１，Ｃ１、Ｂ２，Ｃ２の組み合せで各ゲート電極のスイッチングタイミングを共振周波数Ｆ0 で制御するゲート制御信号が生成されて出力される。
【００３３】
そして、この共振周波数Ｆ0 のスイッチングタイミングでインバータ回路５、６のスイッチング素子Ａ１〜Ｄ１及びスイッチング素子Ａ２〜Ｄ２がスイッチング素子Ａ１，Ｄ１、Ａ２，Ｄ２とスイッチング素子Ｂ１，Ｃ１、Ｂ２，Ｃ２の組み合せで制御されると、その共振周波数Ｆ0 のスイッチングタイミングで負荷に負荷電流が流れるが、ＯＮタイミング中の短時間であるため、負荷電流検出用変成器ＣＴ３、ＣＴ４では、負荷電流検出信号ＩD1 ，ＩD2 は、殆ど検出されず、位相比較回路１２では、直ちに負荷用電源から起動用電源への切り替えが行われ、負荷用電圧信号の出力が停止され、再度、起動用電圧信号が電圧発振器１３に出力される。
【００３４】
このように、本実施例では、インバータ回路５、６に流れる負荷電流が負荷電流検出用変成器ＣＴ３、ＣＴ４で検出され、検出電流切替回路１１の動作により、交互に切り替えて高周波出力電流検出信号ＩHF1 ，ＩHF2 が位相比較回路１２に入力され、位相比較回路１２において、高周波出力電流検出信号ＩHF1 ，ＩHF2 毎に高周波負荷電圧ＶHFとの位相比較に基づく負荷用電圧信号出力と、起動用電圧信号出力との切り替え動作が行われ、図３の（ｉ）に、その切り替え動作時の電圧発振器１３の発振信号の周波数の変動状態を示す。電圧発振器１３では、負荷電流検出信号ＩD1 及びＩD2の少なくとも一方が基準レベルＶｓを超えた場合（パルス信号ＶS1及びＶS2の少なくとも一方がＯＮである場合）に対応する期間に発振周波数が共振周波数Ｆ0となるように、起動周波数Ｆｓと共振周波数Ｆ0 との間の切り替え動作が行われる。このため、起動時に起動周波数Ｆｓに対する共振周波数Ｆ0の波形のＯＮ期間を従来のものに比べて長くできる。そして、インバータ回路５，６へ出力する直流の電流値が増加すると、負荷電流検出信号ＩD1 及びＩD2の出力も増加していき、負荷電流検出信号ＩD1 及びＩD2の少なくとも一方が基準レベルＶｓを超える期間も長くなっていき、ついには、その期間同士がつながり、発振信号の周波数が共振周波数Ｆ0で定常運転状態になる。つまり、起動開始から起動周波数Ｆｓに対する共振周波数Ｆ0の波形のＯＮ期間を長くできるため、起動開始から共振周波数Ｆ0の各期間がつながり定常運転状態になるまでの時間が短縮できる。インバータ回路５，６へ出力する直流の電流値の増加は、一例として、サイリスタＳＣＲ１〜ＳＣＲ４の位相制御により行う。
【００３５】
すなわち、従来の電流型インバータのように並列配置されたインバータ回路のうち一箇所から負荷電流検出信号Ｉd を検出して、起動時に起動周波数Ｆｓと共振周波数Ｆ0 との間の切り替え動作を行った場合、同図（ｈ）に示す従来の切り替え動作時の電圧発振器１３の発振信号の周波数の変動状態のように、起動開始から起動周波数Ｆｓに対する共振周波数Ｆ0の波形のＯＮ期間を長くできず、起動開始から共振周波数Ｆ0の各期間がつながり定常運転状態になるまでの時間を短縮できなかった。本実施例では、この動作状態が解消されている。
【００３６】
したがって、本実施例の電流型インバータ１では、起動時に起動周波数Ｆｓ固定で運転を開始してから負荷の共振周波数Ｆ0 へ繰り返し動作周波数を切り替えて定常運転状態に移行する時間を、従来に比べて短縮することができ、電流型インバータの立上がり性能を向上することができる。
【００３７】
【発明の効果】
本発明の電流型インバータの動作周波数制御方法によれば、起動時に起動周波数固定で運転を開始してから負荷の共振周波数へ繰り返し動作周波数を切り替えて定常運転状態に移行する時間を、従来に比べて短縮することができ、電流型インバータの立上がり性能を向上することができる。
【図面の簡単な説明】
【図１】本発明を適用した電流型インバータの回路構成図。
【図２】図１のインバータ回路内のスイッチング素子Ａ１〜Ｄ１，Ａ２〜Ｄ２のスイッチングタイミングを制御する制御回路のブロック構成図。
【図３】図１及び図２の各部における信号のタイミングチャート。
【符号の説明】
１    電流型インバータ
２    ３相交流電源部
３、４  全波位相制御整流回路
５、６  インバータ回路
１０    制御回路
１１    検出電流切替回路
１２    位相比較回路
１３    電圧発振器
１４    フリップフロップ回路
ＬＤ１、ＬＤ２  直流リアクトル
Ａ１〜Ｄ１、Ａ２〜Ｄ２  スイッチング素子
ＣＴ１、ＣＴ２  高周波電流検出用変成器
ＣＴ３、ＣＴ４  負荷電流検出用変成器
ＶＴ    高周波電圧検出用変成器
【図１】
0003576640.tif 000002
【図２】
0003576640.tif 000003
【図３】
0003576640.tif 000004